(57)【要約】【課題】親機側に子機接続端子の設定にカメラの有無を設けることなく、不安定な画面が表示されてしまうことを防止することができるテレビドアホン装置およびドアホン子機を提供する。【解決手段】カメラを有しないカメラ無し子機Ｙは、通話が開始されると、非映像信号を非同期信号発生器４１が送信する。この非映像信号は、カメラ付き子機Ｘが親機Ｚへ送信する映像信号とは異なるもので、映像信号に含まれる水平同期信号および垂直同期信号（同期信号）よりも高い周波数の信号である。非映像信号を同期信号より高い周波数の信号とすることで、ノイズが重畳しても周波数が低下することがないので、非映像信号であることを識別することができる。親機Ｚでは、非映像信号を検知することで、ブルーバック表示を行う。【選択図】図３
2010220153.tif 000002
【特許請求の範囲】
【請求項１】
カメラを有しないカメラ無し子機と、カメラ付き子機または前記カメラ無し子機を接続してカメラ映像を表示すると共に通話を行う親機とを備えるテレビドアホン装置であって、
前記カメラ無し子機は、前記カメラ付き子機が前記親機へ送信する映像信号とは異なる非映像信号を発生する非映像信号発生手段と、前記非映像信号発生手段で発生させた非映像信号を前記親機へ送信する送信手段とを備え、
前記親機は、前記カメラ付き子機から送信される映像信号および前記カメラ無し子機から送信される非映像信号を復調して映像信号の有無を検知する映像信号検知手段と、前記映像信号検知手段により映像信号が検知されない場合に所定の画面の表示を行う表示手段とを備えたことを特徴とするテレビドアホン装置。
【請求項２】
前記送信手段は、前記カメラ付き子機が映像信号を送信する変調方式を用いて前記非映像信号を送信することを特徴とする請求項１記載のテレビドアホン装置。
【請求項３】
前記変調方式は、ＦＭ変調であることを特徴とする請求項２記載のテレビドアホン装置。
【請求項４】
前記映像信号検知手段は、前記映像信号または前記非映像信号における同期信号の有無を検知することを特徴とする請求項１から３のいずれかの項に記載のテレビドアホン装置。
【請求項５】
前記非映像信号発生手段は、前記映像信号における同期信号の周波数より高い周波数の信号を非映像信号として発生することを特徴とする請求項１から４のいずれかの項に記載のテレビドアホン装置。
【請求項６】
前記非映像信号発生手段は、前記映像信号における同期信号の電圧レベルより大きな電圧レベルの信号を非映像信号として発生することを特徴とする請求項５記載のテレビドアホン装置。
【請求項７】
前記非映像信号発生手段は、前記映像信号における同期信号の周波数より高い周波数で、前記同期信号の電圧レベルより大きな電圧レベルの信号を非映像信号として発生することを特徴とする請求項１から４のいずれかの項に記載のテレビドアホン装置。
【請求項８】
前記親機は、前記カメラ無し子機からの呼び出しを検出すると通話終了まで該カメラ無し子機へカメラ用の給電を行う給電手段を備え、前記カメラ無し子機の前記非映像信号発生手段は、前記親機の前記給電手段から給電されている間、前記非映像信号を発生することを特徴とする請求項１から７のいずれかの項に記載のテレビドアホン装置。
【請求項９】
前記親機は、着信時または通話時において、前記映像信号検知手段により映像信号が検知された場合は相手がカメラ付き子機と判定し、前記映像信号検知手段により映像信号が検知されない場合は相手がカメラ無し子機と判定することを特徴とする請求項１から８のいずれかの項に記載のテレビドアホン装置。
【請求項１０】
前記映像信号検知手段には、復調された映像信号を通過させる高周波カット回路が設けられ、
前記非映像信号発生手段は、非映像信号として前記高周波カット回路を通過できない高周波の信号を発生することを特徴とする請求項１から９のいずれかの項に記載のテレビドアホン装置。
【請求項１１】
前記カメラ付き子機からのカメラの映像信号を復調して映像信号の有無を検知し、映像信号が検知されない場合に所定の画面を表示する親機を備えるテレビドアホン装置に接続可能なドアホン子機であって、
前記カメラ付き子機が前記親機へ送信する映像信号とは異なる信号を発生する非映像信号発生手段と、前記非映像信号発生手段で発生させた非映像信号を前記親機へ送信する送信手段とを具備することを特徴とするドアホン子機。
【発明の詳細な説明】
【技術分野】
【０００１】
本発明は、来訪者を撮像するカメラを有しないカメラ無し子機と、このカメラ無し子機およびカメラ付き子機を混在させて接続可能な親機とを備えたテレビドアホン装置に関する技術である。
【背景技術】
【０００２】
玄関先や勝手口などに設置されるドアホン装置の子機として、来訪者を撮像するためのカメラを有するカメラ付き子機と、カメラを有しないカメラ無し子機とがある。これらの子機を混在させる場合がある。例えば、カメラ付き子機はカメラ無し子機より高価なものとなるため、来訪者を判別するためにカメラ付き子機を玄関用として、居住者同士の通話のみができればよいのでカメラ無し子機を勝手口用として設置する場合である。
【０００３】
カメラ付き子機では映像表示のための同期信号を含む映像信号が音声信号と共に親機に送信され、カメラ無し子機では映像信号がないため、当然、親機側では映像が表示されない。
【０００４】
このようなカメラ付き子機とカメラ無し子機とを組み合わせを許容するテレビドアホン装置について、特許文献１に記載されたものが知られている。特許文献１に記載のテレビドアホンシステムは、カメラ無しのドアホン子機、またはテレビカメラによって撮影した映像信号を出力するカメラ付きドアホン子機を、映像信号の有無で判定し、カメラ無しのドアホン子機と判定された場合にはテレビモニタが点灯することなく通話がなされるというものである。
【特許文献１】特開２００１−２８５８５１号公報
【発明の開示】
【発明が解決しようとする課題】
【０００５】
しかし、特許文献１に記載のテレビドアホンシステムでは、映像信号の有無を、ＦＭ変調信号のキャリアの有無により判定しているので、子機と親機との間の信号に周期的なノイズパルスが重畳した場合では、親機側でキャリア有りと誤認し、ノイズパルスを映像の同期信号としてモニタに何かしらを表示しようとしてしまうおそれがある。そうなるとモニタには、一瞬、明るい画面となり、次には暗くなることを繰り返すような不安定な画面が表示されるので、居住者は子機または親機のいずれかが故障したのではないかと心配するおそれがある。また、カメラ付き子機と親機、およびカメラ無し子機と親機とのインタフェースを共通化するために、子機と親機との間を例えばＦＭ変調信号でやり取りするようにした場合では、カメラ無し子機からの信号でもキャリアが検知されるので、映像信号の有無を、ＦＭ変調信号のキャリアの有無だけでは、判定することができない。
【０００６】
親機側に子機接続端子の設定にカメラの有無を設けることで、カメラ付き子機とカメラ無し子機とを識別する方法も考えられるが、親機での設定は操作が煩雑であり、居住者が設定を忘れてしまうおそれもある。
【０００７】
そこで本発明は、親機側に子機接続端子の設定にカメラの有無を設けることなく、不安定な画面が表示されてしまうことを防止することができるテレビドアホン装置およびドアホン子機を提供することを目的とする。
【課題を解決するための手段】
【０００８】
本発明のテレビドアホン装置は、カメラ無し子機が親機へ送信する信号として、カメラ付き子機が親機へ送信する映像信号とは異なる非映像信号を送信し、親機がカメラ付き子機から送信される映像信号およびカメラ無し子機から送信される非映像信号を復調して映像信号の有無を検知し、映像信号が検知されない場合に所定の画面の表示することを特徴とする。
【発明の効果】
【０００９】
本発明は、ノイズパルスがカメラ無し子機から送信される非映像信号に重畳しても親機で映像信号として検知されないので、ノイズパルスを同期信号と見なされてしまうことを防止することができる。よって発明は、カメラ無し子機を使用する場合でも、親機側に設定などすることなく、不安定な画面が表示されてしまうことを防止することができる。
【発明を実施するための最良の形態】
【００１０】
本願の第１の発明は、カメラを有しないカメラ無し子機と、カメラ付き子機またはカメラ無し子機を接続してカメラ映像を表示すると共に通話を行う親機とを備えるテレビドアホン装置であって、カメラ無し子機は、カメラ付き子機が親機へ送信する映像信号とは異なる非映像信号を発生する非映像信号発生手段と、非映像信号発生手段で発生させた非映像信号を親機へ送信する送信手段とを備え、親機は、カメラ付き子機から送信される映像信号およびカメラ無し子機から送信される非映像信号を復調して映像信号の有無を検知する映像信号検知手段と、映像信号検知手段により映像信号が検知されない場合に所定の画面の表示を行う表示手段とを備えたテレビドアホン装置としたことを特徴としたものである。
【００１１】
第１の発明によれば、カメラ無し子機の非映像信号発生手段が非映像信号を発生し、送信手段が非映像信号を親機へ送信することにより、親機では、映像信号検知手段により映像信号が検知されない場合に、表示手段が所定の画面の表示を行う。従って、ノイズパルスがカメラ無し子機から送信される非映像信号に重畳しても親機で映像信号として検知されないので、ノイズパルスを同期信号と見なされてしまうことを防止することができる。
【００１２】
本願の第２の発明は、第１の発明において、送信手段は、カメラ付き子機が映像信号を送信する変調方式を用いて非映像信号を送信するテレビドアホン装置としたことを特徴としたものである。
【００１３】
第２の発明によれば、カメラ無しの子機の送信手段が、カメラ付き子機が映像信号を送信する変調方式を用いて非映像信号を送信するので、親機では複数種類の復調を行わなくてもよい。
【００１４】
本願の第３の発明は、第２の発明において、変調方式は、ＦＭ変調であるテレビドアホン装置としたことを特徴としたものである。
【００１５】
第３の発明によれば、変調方式をＦＭ変調とすることができる。
【００１６】
本願の第４の発明は、第１から３のいずれかの発明において、映像信号検知手段は、映像信号または非映像信号における同期信号の有無を検知するテレビドアホン装置としたことを特徴としたものである。
【００１７】
第４の発明によれば、映像信号検知手段が映像信号または非映像信号における同期信号の有無を検知することで、カメラ付き子機かカメラ無し子機かを判定することができる。
【００１８】
本願の第５の発明は、第１から４のいずれかの発明において、非映像信号発生手段は、映像信号における同期信号の周波数より高い周波数の信号を非映像信号として発生するテレビドアホン装置としたことを特徴としたものである。
【００１９】
第５の発明によれば、非映像信号を映像信号における同期信号の周波数より高い周波数とすることで、非映像信号にノイズパルスが重畳しても、同期信号より周波数が高いことは変わらない。従って、非映像信号を映像信号の同期信号の周波数より高いことに基づいて映像信号と非映像信号とを識別すれば、ノイズが重畳しても静止画面を表示させることが可能となる。
【００２０】
本願の第６の発明は、第５発明において、非映像信号発生手段は、映像信号における同期信号の電圧レベルより大きな電圧レベルの信号を非映像信号として発生するテレビドアホン装置としたことを特徴としたものである。
【００２１】
第６の発明によれば、非映像信号を同期信号の電圧レベルより大きな電圧レベルの信号とすることで、電圧レベルに基づいて映像信号と非映像信号との識別が可能となる。
【００２２】
本願の第７の発明は、第１から４のいずれかの発明において、非映像信号発生手段は、映像信号における同期信号の周波数より高い周波数で、同期信号の電圧レベルより大きな電圧レベルの信号を非映像信号として発生するテレビドアホン装置としたことを特徴としたものである。
【００２３】
第７の発明によれば、非映像信号を映像信号における同期信号の周波数より高い周波数とすることで、非映像信号にノイズパルスが重畳しても、同期信号より周波数が高いことは変わらない。従って、非映像信号を映像信号の同期信号の周波数より高いことに基づいて映像信号と非映像信号とを識別すれば、ノイズが重畳しても静止画面を表示させることが可能となる。また、電圧レベルに基づいて映像信号と非映像信号とを識別すれば、より確実に識別することが可能となる。
【００２４】
本願の第８の発明は、第１から第７のいずれかの発明において、親機は、カメラ無し子機からの呼び出しを検出すると通話終了まで該カメラ無し子機へカメラ用の給電を行う給電手段を備え、カメラ無し子機の非映像信号発生手段は、親機の給電手段から給電されている間、非映像信号を発生するテレビドアホン装置としたことを特徴としたものである。
【００２５】
第８の発明によれば、カメラ無し子機の非映像信号発生手段は、親機の給電手段から給電されている間、非映像信号を発生することができる。従って、カメラ無し子機は、カメラの代わりに非映像信号発生手段を設けることで、非映像信号をカメラ付き子機が送信する映像信号と同じタイミングとすることができるので、親機の回路を共通化することができる。
【００２６】
本願の第９の発明は、第１から第８のいずれかの発明において、親機は、着信時または通話時において、映像信号検知手段により映像信号が検知された場合は相手がカメラ付き子機と判定し、映像信号検知手段により映像信号が検知されない場合は相手がカメラ無し子機と判定するテレビドアホン装置としたことを特徴としたものである。
【００２７】
第９の発明によれば、映像信号検知手段により相手をカメラ無し子機と判定することで、特別に用意した画像等の所定の静止画面の表示を行うことができる。
【００２８】
本願の第１０の発明は、第１から第９のいずれかの発明において、映像信号検知手段には、復調された映像信号を通過させる高周波カット回路が設けられ、非映像信号発生手段は、非映像信号として高周波カット回路を通過できない高周波数の信号を発生するテレビドアホン装置としたことを特徴としたものである。
【００２９】
第１０の発明によれば、カメラ無し子機から送信される非映像信号を親機の映像信号検知手段に設けられた高周波カット回路を通過できない高周波数の信号とすることで、非映像信号はノイズとして扱われるので、既存のノイズフィルタを備えた親機を変更することなく使用することができる。
【００３０】
本願の第１１の発明は、カメラ付き子機からのカメラの映像信号を復調して映像信号の有無を検知し、映像信号が検知されない場合に所定の画面を表示する親機を備えるテレビドアホン装置に接続可能なドアホン子機であって、カメラ付き子機が親機へ送信する映像信号とは異なる信号を発生する非映像信号発生手段と、非映像信号発生手段で発生させた非映像信号を親機へ送信する送信手段とを具備するドアホン子機としたことを特徴としたものである。
【００３１】
第１１の発明によれば、カメラ無し子機の非映像信号発生手段が非映像信号を発生し、送信手段が非映像信号を親機へ送信することにより、親機では、映像信号検知手段により映像信号が検知されない場合に、表示手段が所定の画面の表示を行う。従って、ノイズパルスがカメラ無し子機から送信される非映像信号に重畳しても親機で映像信号とは検知されないので、ノイズパルスを同期信号と見なしてしまうことを防止することができる。
【００３２】
（実施の形態）
本発明の実施の形態に係るテレビドアホン装置を図面に基づいて説明する。
【００３３】
図１は本発明の実施の形態に係るテレビドアホン装置の構成を示す図である。図１に示すテレビドアホン装置Ｔは、玄関に設置されることでカメラ玄関子機として機能するカメラ付き子機Ｘと、勝手口に設置されることで音声勝手口子機として機能するカメラ無し子機Ｙと、カメラ付き子機Ｘおよびカメラ無し子機Ｙと２線式の平行ケーブルにより接続された親機Ｚとを備えている。
【００３４】
次に、カメラ付き子機Ｘ、カメラ無し子機Ｙおよび親機Ｚの構成について説明する。最初に、カメラ付き子機Ｘの構成について、図２に基づいて詳細に説明する。図２は図１に示すテレビドアホン装置のカメラ付き子機の構成を示すブロック図である。図２に示すカメラ付き子機Ｘは、撮像部１と、通話部２と、制御部３とを備えている。
【００３５】
撮像部１は、カメラユニット１ａが設けられ、映像信号としてコンポジットビデオ信号を制御部３へ出力する。カメラユニット１ａは、固体撮像素子であるＣＣＤ（Ｃｈａｒｇｅ  Ｃｏｕｐｌｅｄ  Ｄｅｖｉｃｅ）イメージセンサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などが使用できる。
【００３６】
通話部２は、来訪者が親機Ｚを操作する居住者と通話するためのもので、呼出ボタン２１と、マイク２２と、スピーカ２３とが設けられている。呼出ボタン２１は、来訪者が居住者を呼び出す際に押下するノンロックスイッチである。マイク２２は、会話の音声を音声信号として音声回路３４へ出力するものである。スピーカ２３は音声回路３４からの呼び出し音に対するバックトーンを出力したり、居住者の音声を出力したりするものである。
【００３７】
制御部３は、ＦＭ変調回路３１と、電源回路３２と、制御回路３３と、音声回路３４と、重畳分離回路３５とを備えている。
【００３８】
ＦＭ変調回路３１は、撮像部１からの映像信号であるコンポジットビデオ信号を変調してＦＭ信号を重畳分離回路３５に出力する。電源回路３２は、親機Ｚからの電源供給を受け、撮像部１を含む各部の回路へ動作電源をそれぞれ供給するものである。制御回路３３は、呼出ボタン２１の押下を親機Ｚへ通知したり、親機Ｚからの撮像開始の指示や、輝度調整の指示などの制御信号を受信して撮像部１のカメラユニット１ａを調整したりするものである。音声回路３４は、マイク２２の音声信号を増幅して重畳分離回路３５へ出力したり、重畳分離回路３５からの音声信号を増幅してスピーカ２３へ出力したりするものである。重畳分離回路３５は、ＦＭ変調回路３１からの映像信号と、音声回路３４からの音声信号を重畳して親機Ｚへ送信する送信手段として機能する。また、重畳分離回路３５は、親機Ｚからの信号を、制御信号と音声信号と電源供給とに分離し、制御信号を制御回路３３へ、音声信号を音声回路３４へ、電源を電源回路３２へ出力する。
【００３９】
次に、カメラ無し子機Ｙの構成について、図３に基づいて詳細に説明する。図３は図１に示すテレビドアホン装置のカメラ無し子機の構成を示すブロック図である。また、図４はカメラ無し子機の信号生成部から出力される非映像信号を示す波形図である。なお、図３においては、図２と同じ機能を有するものは同符号を付し、説明は省略する。
【００４０】
図３に示すカメラ無し子機Ｙには、カメラ有り子機信Ｘの撮像部１の代わりに、非映像信号発生手段として機能する信号生成部４が設けられている。この信号生成部４は、図４に示すような振幅の大きさが１Ｖ、パルス幅が２μｓ、周波数５００ｋＨｚの矩形波を非映像信号として生成する非同期信号発生器４１を備えている。この信号生成部４から出力される非映像信号は、カメラ付き子機信Ｘの撮像部から出力される映像信号と同様に、ＦＭ変調回路３１に出力され変調される。
【００４１】
次に、カメラ付き子機Ｘおよびカメラ無し子機Ｙ（以下、カメラ付き子機Ｘおよびカメラ無し子機Ｙを、単に子機Ｘ，Ｙと称する場合がある。）に接続される親機Ｚの構成について、図５に基づいて詳細に説明する。図５は図１に示すテレビドアホン装置の親機の構成を示すブロック図である。
【００４２】
図５に示す親機Ｚは、重畳分離回路５と、給電回路６と、通話部７と、音声回路８と、制御回路９と、映像復調回路１０と、高周波カット回路１１と、同期分離回路１２と、同期信号検知回路１３と、映像信号処理回路１４と、ブルーバック映像生成回路１５と、ブルーバック切換回路１６と、表示部１７とを備えている。なお、図５においては、カメラ付き子機Ｘ，カメラ無し子機Ｙを接続する子機接続端子およびインタフェース部は図示していない。
【００４３】
重畳分離回路５は、給電回路６からの給電に、音声回路８からの音声信号を重畳して子機Ｘ，Ｙへ送信する。また、重畳分離回路５は、子機Ｘ，Ｙからの信号を、制御信号と、音声信号と、映像信号または非映像信号とに分離し、制御信号を制御回路９へ、音声信号を音声回路８へ、映像信号を高周波カット回路１０および映像信号処理回路１３へ出力する。
【００４４】
給電回路６は、親機Ｚ全体に電源を供給すると共に、子機Ｘ，Ｙへの電源を供給する給電手段として機能するものである。本実施の形態では、給電回路６はアイドル中に＋５Ｖを出力し、制御回路９からの通話開始の通知により通話終了までカメラ用として＋２０Ｖを出力する。通話部７は、来訪者や居住者同士での会話に使用され、マイク７１と、スピーカ７２と、通話ボタン７３とを備えている。
【００４５】
マイク７１は、親機Ｚを使用する居住者の音声を音声信号として音声回路８へ出力する。スピーカ７２は、来訪者を告げる呼出音を鳴動したり、来訪者の音声を出力したりする。通話ボタン７３は、押下することで子機Ｘ，Ｙとの通話開始を通知するノンロックスイッチである。
【００４６】
音声回路８は、マイク７１からの音声信号を増幅して重畳分離回路５へ出力したり、子機Ｘ，Ｙからの音声信号を増幅してスピーカ７２へ出力したりする。制御回路９は、子機Ｘ，Ｙからの通話開始や、通話終了を給電回路６へ通知したり、表示部１７の輝度を調整したり、子機Ｘ，Ｙへ輝度調整のための制御信号を出力したりする。
【００４７】
映像復調回路１０は、ＦＭ変調された映像信号または非映像信号をコンポジットビデオ信号へ復調する。高周波カット回路１１は、復調された信号の高周波成分を除去する回路である。本実施の形態では、高周波カット回路１１は２００ｋＨｚ以上の高周波を除去する機能を備えている。
【００４８】
同期分離回路１２は、コンポジットビデオ信号から水平同期信号および垂直同期信号を分離する機能を備えている、同期信号検知回路１３は、水平同期信号が出力されているか否かで同期信号の有無を判定する回路である。映像復調回路１０と高周波カット回路１１と同期分離回路１２と同期信号検知回路１３とで、映像信号検知手段として機能している。
【００４９】
映像信号処理回路１４は、コンポジットビデオ信号から表示部１７が表示可能な輝度信号と色信号とに分離処理すると共に、同期分離回路１２が分離した水平同期信号および垂直同期信号に基づいてタイミング信号を生成する回路である。
【００５０】
ブルーバック映像生成回路１５は、画面全体が単色の静止画面を生成する回路である。本実施の形態では、ブルーバック画面と称される青色画面を生成する。
【００５１】
ブルーバック切換回路１６は、同期信号検知回路１３からの通知に基づいて、映像信号処理回路１４からの出力、またはブルーバック映像生成回路１５からの出力のいずれかを切り換えて表示部１７へ出力する回路で、映像信号が検知されない場合に所定の画面の表示を行う表示手段として機能するものである。
【００５２】
表示部１７は、ブルーバック切換回路１６からの信号により表示するＬＣＤ（Ｌｉｑｕｉｄ  Ｃｒｙｓｔａｌ  Ｄｉｓｐｌａｙ）である。
【００５３】
以上のように構成される本発明の実施の形態に係るテレビドアホン装置の動作および使用状態を、図面に基づいて説明する。
【００５４】
（カメラ付き子機Ｘの場合）
まずは、カメラ付き子機Ｘの場合を説明する。来訪者が呼出ボタン２１を押下する。呼出ボタン２１が押下されたことで、制御回路３３は親機Ｚへ通話開始の通知を重畳分離回路３５を介して送信する。
【００５５】
親機Ｚでは、重畳分離回路５を介して制御回路９が受信すると、給電回路６へ通知すると共に、表示部１７を表示可能な状態とする。給電回路６は、供給する電圧を＋５Ｖからカメラ用の電圧である＋２０Ｖへ昇圧する。制御回路９は、音声回路８を介してスピーカ７２から呼出音を鳴動させると共に、バックトーンをカメラ付き子機Ｘへ送信する。また、居住者がマイク７１に向かって発した音声は、音声回路８により音声信号として重畳分離回路５へ出力され、給電に重畳されてカメラ付き子機Ｘへ送信される。
【００５６】
カメラ付き子機Ｘでは、バックトーンや居住者の音声として親機Ｘから送信された音声信号を重畳分離回路３５が給電から分離して音声回路３４へ出力する。音声回路３４は音声信号を増幅してスピーカ２３から出力する。電源回路３２はカメラ用の電源を撮像部１へ供給する。撮像部１は、電源が供給されることで起動され、カメラユニット１ａからコンポジットビデオ信号である映像信号をＦＭ変調回路３１へ出力する。
【００５７】
ここで、映像信号について、図６（Ａ）および同図（Ｂ）に基づいて説明する。図６（Ａ）は映像信号であるコンポジットビデオ信号の水平同期信号波形を示す図、図６（Ｂ）は映像信号であるコンポジットビデオ信号の垂直同期信号波形を示す図である。本実施の形態では、図６に示すような映像信号がカメラユニット１ａから出力される。映像信号は、水平同期信号が１５．７３４ｋＨｚのパルス幅１０．２μｓ，電圧レベル２８６ｍＶ（０〜−４０ＩＲＥ）、垂直同期信号が５９．９４Ｈｚのパルス幅４．７μｓ，電圧レベル２８６ｍＶ（０〜−４０ＩＲＥ）、カラーバーストが３．５７９５４５ＭＨｚ，電圧レベル２８６ｍＶ（２０〜−２０ＩＲＥ）である。このような映像信号を入力したＦＭ変調回路３１はＦＭ変調して重畳分離回路３５へ出力する。
【００５８】
来訪者がマイク２２に向かって発した音声は、音声回路３４により音声信号として重畳分離回路３５へ出力され、ＦＭ変調回路３１からの映像信号に重畳されて、親機Ｚへ送信される。
【００５９】
親機Ｚでは、重畳分離回路５を介して受信した映像信号は、映像復調回路１０によりコンポジットビデオ信号に変換される。そして、コンポジットビデオ信号は高周波カット回路１１にてノイズパルス成分が除去された後、同期分離回路１２にて水平同期信号および垂直同期信号が分離される。また、コンポジットビデオ信号は、映像信号処理回路１４へ入力され、輝度信号と色信号とタイミング信号とを出力する。
【００６０】
同期分離回路１２にてコンポジットビデオ信号から水平同期信号が分離されることで、同期信号検知回路１３は同期信号が有りと判定してブルーバック切換回路１６へ通知する。ブルーバック切換回路１６は、同期信号検知回路１３からの通知により映像信号処理回路１４からの信号を選択して表示部１７へ出力する。表示部１７はブルーバック切換回路１６からの信号に基づいて来訪者の映像を表示する。
【００６１】
（カメラ無し子機Ｙの場合）
次に、勝手口に設置されたカメラ無し子機Ｙの場合について説明する。勝手口にいる居住者が呼出ボタン２１を押下し、この押下がカメラ無し子機Ｙから親機Ｚへ通知され、親機Ｚからカメラ用の電源が供給され、勝手口の居住者と居間の居住者とが通話する動作についてはカメラ付き子機Ｘの場合と同じである。
【００６２】
カメラ無し子機Ｙの場合には、電源回路３２からの給電により信号生成部４の非同期信号発生器４１が非映像信号を発生してＦＭ変調回路３１へ出力する点で、カメラ付き子機Ｘと異なっている。
【００６３】
非映像信号は、ＦＭ変調回路３１によりＦＭ変調され、重畳分離回路３５により音声信号と重畳されて親機Ｚへ送信される。
【００６４】
親機Ｚでは、重畳分離回路５を介して受信したカメラ無し子機Ｙからの非映像信号は、映像復調回路１０が復調して高周波カット回路１１へ出力される。非映像信号は５００ｋＨｚの矩形波であるため、２００ｋＨｚ以上の高周波は通過させない高周波カット回路１１により除去される。従って、高周波カット回路１１からの出力は無信号となるので、同期分離回路１２からの出力は同様に無信号状態である。つまり、同期分離回路１２からの同期信号は、水平同期信号または垂直同期信号のいずれもが分離できない状態である。
【００６５】
同期信号検知回路１３は、無信号の入力により非同期信号であることを検知してブルーバック切換回路１６へブルーバック映像生成回路１５からの出力を選択するように指示する。ブルーバック切換回路１６は、ブルーバック映像生成回路１５からの出力を選択することで表示部１７には表示画面の全体が青色一色の静止画像が表示される。
【００６６】
例えば、従来のカメラ無し子機では、親機Ｚに対して映像信号が出力されなかったため、周期的なノイズパルスが信号に重畳してしまうと（図７（Ａ）参照）、同期分離回路１２によりノイズパルスを垂直同期信号または水平同期信号と誤認してパルスを出力してしまうことがある（図７（Ｂ）参照）。この誤認された同期信号により表示部１７には一瞬、画面が明るくなってすぐ消えるような不安定な表示となる。
【００６７】
本実施の形態に係るカメラ無し子機Ｙでは、カメラ無し子機Ｙからは非映像信号として、映像信号とは異なる５００ｋＨｚの矩形波を発生しているので、カメラ無し子機Ｙと親機Ｚとの間の信号に周期的なノイズが重畳したとしても、周波数が５００ｋＨｚから低下することはない（図７（Ｃ）参照）。従って、高周波カット回路１１にて映像信号より高周波な非映像信号の全部を除去することができる（図７（Ｄ）参照）。つまり、カメラ無し子機Ｙから送信される非映像信号は親機Ｚの高周波カット回路１１を通過できない高周波数の信号とし、ノイズとして扱われる。従って、同期信号検知回路１３が水平同期信号の有無を検知することで、ノイズがカメラ無し子機Ｙと親機Ｚとの間の信号に重畳しても、確実にカメラ無し子機Ｙを識別することができ、既存のノイズフィルタを備えた親機Ｚを変更することなく使用することができる。
【００６８】
居住者同士の会話が終了すると、居間にいる居住者は通話ボタン７３を押下することで、制御回路９はカメラ無し子機Ｙおよび給電回路６へ通話終了を通知する。給電回路６はカメラ用の電圧＋２０Ｖから＋５Ｖへ電圧を低下させる。
【００６９】
カメラ無し子機Ｙでは、親機Ｚからの通話終了の通知および電圧の低下により非同期信号発生器４１が非映像信号の生成を停止する。
【００７０】
カメラ無し子機Ｙの非同期信号発生器４１は、親機Ｚの給電回路６から給電されている間、非映像信号を発生することができる。従って、カメラ無し子機Ｙは、カメラ付き子機Ｘのカメラユニット１ａの代わりに非同期信号発生器４１を設けることで、非映像信号をカメラ付き子機Ｘが送信する映像信号と同じタイミングとすることができるので、親機Ｚの回路を共通化することができる。
【００７１】
このように、カメラ無し子機Ｙが、非同期信号発生器４１が、水平同期信号や水平同期信号より周波数の高い非映像信号を発生して親機Ｚへ送信することにより、ノイズが重畳しても親機Ｚでは確実にカメラ付き子機Ｘとカメラ無し子機Ｙと識別してブルーバックの静止画面を表示することができるので、親機Ｚ側に設定などすることなく、不安定な画面が表示されてしまうことを防止することができる。
【００７２】
また、非映像信号は、カメラ付き子機Ｘが映像信号を送信するときと同じＦＭ変調で親機Ｚに送信されるので、親機Ｚでは複数種類の復調を行わなくてもよい。
【００７３】
なお、本実施の形態では、同期信号検知回路１３は水平同期信号に基づいて判定しているが、垂直同期信号に基づいて判定するようにしてもよい。また、非映像信号を同期信号による判定でなく、電圧レベルでの判定としてもよい。
【００７４】
本実施の形態では、水平同期信号が検知できない場合に、所定の画面としてブルーバックの静止画面を表示部１７に表示するようにしているが、これは表示回路においては同期信号を検知しないとブルーバック表示するものが一般的であることによるもので、ブルーバックの代わりに、同期信号を検知できない場合はカメラ無し子機であると判定して、メモリ等に記憶させておいた「カメラ無し子機と通話中」などのメッセージを含む特別に用意した画像を表示するようにしてもよい。また、カメラ無し子機と判定することによりカメラ付き子機の場合と異なる動作をさせることも可能である。
【００７５】
更に、本実施の形態では、非映像信号として５００ｋＨｚの矩形波を、非同期信号発生器４１が発生しているが、正弦波でも異形波でも、同期信号より高周波であればよい。また、親機Ｚの同期分離回路１２にて同期信号として分離されなければ、非映像信号は周期が変動する非同期信号でもよい。しかし、生成しやすい点を考慮するとデューティが５０％の矩形波とするのが望ましい。
【産業上の利用可能性】
【００７６】
本発明は、親機側に子機接続端子の設定にカメラの有無を設けることなく、不安定な画面が表示されてしまうことを防止することができるので、来訪者を撮像するカメラを有しないカメラ無し子機と、このカメラ無し子機およびカメラ付き子機を混在させて接続可能な親機とを備えたテレビドアホン装置に好適である。
【図面の簡単な説明】
【００７７】
【図１】本発明の実施の形態に係るテレビドアホン装置の構成を示す図
【図２】図１に示すテレビドアホン装置のカメラ付き子機の構成を示すブロック図
【図３】図１に示すテレビドアホン装置のカメラ無し子機の構成を示すブロック図
【図４】カメラ無し子機の信号生成部から出力される非映像信号を示す波形図
【図５】図１に示すテレビドアホン装置の親機の構成を示すブロック図
【図６】（Ａ）映像信号であるコンポジットビデオ信号の水平同期信号波形を示す図、（Ｂ）映像信号であるコンポジットビデオ信号の垂直同期信号波形を示す図
【図７】（Ａ）従来のカメラ無し子機の動作を説明するための波形図（入力）、（Ｂ）従来のカメラ無し子機の動作を説明するための波形図（出力）、（Ｃ）本実施の形態に係るカメラ無し子機の動作を説明するための波形図（入力）、（Ｄ）本実施の形態に係るカメラ無し子機の動作を説明するための波形図（出力）
【符号の説明】
【００７８】
Ｔ    テレビドアホン装置
Ｘ    カメラ付き子機
Ｙ    カメラ無し子機
１    撮像部
１ａ    カメラユニット
２    通話部
２１    呼出ボタン
２２    マイク
２３    スピーカ
３    制御部
３１    ＦＭ変調回路
３２    電源回路
３３    制御回路
３４    音声回路
３５    重畳分離回路
４    信号生成部
４１  非同期信号発生器
Ｚ    親機
５    重畳分離回路
６    給電回路
７    通話部
７１    マイク
７２    スピーカ
７３    通話ボタン
８    音声回路
９    制御回路
１０    映像復調回路
１１    高周波カット回路
１２    同期分離回路
１３    同期信号検知回路
１４    映像信号処理回路
１５    ブルーバック映像生成回路
１６    ブルーバック切換回路
１７    表示部
【図１】
2010220153.tif 000003
【図２】
2010220153.tif 000004
【図３】
2010220153.tif 000005
【図４】
2010220153.tif 000006
【図５】
2010220153.tif 000007
【図７】
2010220153.tif 000008
【図６】
2010220153.tif 000009